(57)【要約】  【課題】可燃性を有する冷媒の冷却装置の自動販売機において、冷媒漏れに対するリスクを低減し安全性を高めるとともに、省エネと低騒音を図る。  【解決手段】機械室４に圧縮機５と凝縮器６と凝縮器ファン７と可燃性冷媒９とからなる冷却装置８を配置し、凝縮器ファン７はＤＣ電源駆動で複数個を備え、回転数を高速・低速に可変できる回転数制御手段１５とを備え、ＤＣ電源駆動であることから省エネ性が高くさらに回転数制御手段で回転数を低速に可変することで省エネと低騒音化を図ることができ、万が一配管から冷媒漏れが起こった場合でも、複数個の凝縮器ファン７で強制的に周囲に漏洩冷媒を拡散することができ、冷媒漏れ時のリスクを低減し安全性を高め、消費電力量の増加を抑えることができる。【選択図】図２
2007018137.tif 000002
【特許請求の範囲】
【請求項１】
本体上部に商品を保存する収納室、本体下部に収納室とは隔離された機械室を設けた自動販売機において、前記機械室に圧縮機と凝縮器と凝縮器ファンと可燃性冷媒とからなる冷却装置を配置し、前記凝縮器ファンはＤＣ電源駆動で複数個を備え、回転数を高速・低速に可変できる回転数制御手段を備えたことを特徴とした自動販売機。
【請求項２】
外気温度検知手段で検知した温度と記憶部に設定された温度を比較し、外気温度が所定温度より高い場合に凝縮器ファンを高速で作動させ、外気温度が所定温度より低い場合に凝縮器ファンを低速で作動させる回転数制御手段を備えたことを特徴とした請求項１に記載の自動販売機。
【請求項３】
圧縮機動作検知手段を備え、圧縮機が動作時は凝縮器ファンを高速で作動させ、圧縮機が停止している場合は凝縮器ファンを低速で作動させる回転数制御手段を備えたことを特徴とした請求項１に記載の自動販売機。
【請求項４】
本体上部に商品を保存する収納室、本体下部に収納室とは隔離された機械室を設けた自動販売機において、前記機械室に圧縮機と凝縮器とＤＣ電源駆動で複数個の凝縮器ファンと可燃性冷媒とからなる冷却装置を配置し、圧縮機動作検知手段を備え、圧縮機が動作時は凝縮器ファンを全て作動させ、圧縮機が停止している場合は凝縮器ファンを１個のみ作動させるファン制御手段を備えたことを特徴とした自動販売機。
【請求項５】
ＤＣ電源駆動で複数個の凝縮器ファンを風向に角度を付けて配置したことを特徴とした請求項１から請求項４のいずれか一項に記載の自動販売機。
【発明の詳細な説明】
【技術分野】
【０００１】
本発明は、可燃性冷媒を使用した冷却装置を用いた自動販売機に関するものである。
【背景技術】
【０００２】
近年、地球のオゾン層を保護する観点から、冷却装置の冷凍サイクルに使用されていた冷媒ＣＦＣ（クロロフルオロカーボン）−１２あるいはＨＣＦＣ（ハイドロクロロフルオロカーボン）−２２といった塩素原子を含んだ冷媒の使用が規制され、塩素原子を含まず、オゾン層を破壊しないＨＦＣ（ハイドロフルオロカーボン）冷媒への転換が進行している。
【０００３】
また、従来、主にＨＣＦＣ−２２を用いていた自動販売機においては、その代替冷媒としてＨＦＣ冷媒の混合冷媒であるＲ４０７Ｃが採用され販売されている。
【０００４】
しかしながら、現在用いられているＲ４０７ＣなどのＨＦＣ冷媒は、オゾン層破壊はないものの、地球温暖化係数が高いため、地球温暖化に対しては不十分な冷媒となり、そのため地球温暖化係数の低い冷媒として、ＨＦＣに代わってＨＣ（ハイドロカーボン）等の自然系冷媒が注目されている。
【０００５】
一方、ＨＣ系冷媒は可燃性を有しているため、冷却装置における冷凍サイクルの冷媒として使用する場合には安全性確保が課題であり、冷媒漏れに対する配慮、つまり拡散対策による事前予防策が必要である。
【０００６】
このことから、密閉された庫内に可燃性冷媒を漏らさないようにした例として冷凍装置をカスケード式に接続し、可燃性冷媒を使用した冷凍サイクルは庫外に設け、庫内側にはブラインを流し冷却する方法（例えば、特許文献１参照）があります。
【０００７】
また、可燃性冷媒の漏洩が生じても内部への冷媒漏れを少なくし、発火、爆発の危険性を回避できる冷蔵庫について開示したもの（例えば、特許文献２参照）があります。
【０００８】
また、庫内での冷媒の漏れを検知し、ダンパーを設けた排気口より漏洩冷媒を排出させる自動販売機について開示したもの（例えば、特許文献３参照）があります。
【０００９】
また、常時自動販売機本体の外部に排気する排気手段を備えた自動販売機について開示したもの（例えば、特許文献４参照）があります。
【特許文献１】特開２００１−１１８１３４号公報
【特許文献２】特開平９−４２８１７号公報
【特許文献３】特開２００１−１３４８２７号公報
【特許文献４】特開２００３−１７８３６２号公報
【発明の開示】
【発明が解決しようとする課題】
【００１０】
しかし、自動販売機等においては、冷却システムの配管は庫内だけでなく、自動販売機の本体下部に設けられた機械室内の冷却システムからの冷媒の漏れも考えられる。
【００１１】
また、自動販売機の設置状況では背面が壁等で塞がれている場合もあり、機械室内に漏洩冷媒が滞留することが考えられる。万一の冷媒漏洩時には、爆発濃度に達する前に周囲に拡散させる必要がある。したがって、常時自動販売機本体の外部に排気する排気手段を稼動させているが、省エネ性とファンによる騒音の課題を有していた。
【００１２】
本発明は、上記従来の課題を解決するもので、冷凍サイクルの冷媒として可燃性冷媒を使用しても、省エネと低騒音を図り、リスクを低減した安全性の高い自動販売機を提供することを目的とする。
【課題を解決するための手段】
【００１３】
前記従来の課題を解決するために、本発明の自動販売機は、機械室に圧縮機と凝縮器と凝縮器ファンと可燃性冷媒とからなる冷却装置を配置し、前記凝縮器ファンはＤＣ電源駆動で複数個を備え、回転数を高速・低速に可変できる回転数制御手段を備えたものである。これによって、ＤＣ電源駆動であることから省エネ性が高くさらに回転数制御手段で回転数を低速に可変することで省エネと低騒音化を図ることができる。万が一収納室あるいは機械室内の冷媒配管から冷媒漏れが起こった場合でも、複数個の凝縮器ファンで強制的に周囲に漏洩冷媒を拡散させ、可燃性冷媒ガスの空気中の濃度を早く低下させることができる。また、凝縮器ファンを複数個とすることで、仮に凝縮器ファンの一個が故障した場合においてもファンによる拡散効果を確保することができる。
【００１４】
また、本発明の自動販売機は、機械室に圧縮機と凝縮器とＤＣ電源駆動で複数個の凝縮器ファンと可燃性冷媒とからなる冷却装置を配置し、圧縮機動作検知手段を備え、圧縮機が動作時は凝縮器ファンを全て作動させ、圧縮機が停止している場合は凝縮器ファンを１個のみ作動させるファン制御手段を備えたものである。これによって、圧縮機が停止している場合は凝縮器の冷却が不要であるので凝縮器ファンを１個のみ作動させることで効率よい冷却装置となり、拡散による安全性を確保しつつ、低騒音化を図るとともに消費電力量の増加を抑え、凝縮器ファンの長寿命化となる。
【発明の効果】
【００１５】
本発明の自動販売機は、複数個の凝縮器ファンで強制的に周囲に漏洩冷媒を拡散させ、可燃性冷媒ガスの空気中の濃度を早く低下させることができ、ＤＣ電源駆動であることから省エネ性が高く、回転数制御手段で回転数を低速に可変することでさらに省エネと低騒音化を図ることができる。
【発明を実施するための最良の形態】
【００１６】
第１の発明は、機械室に圧縮機と凝縮器と凝縮器ファンと可燃性冷媒とからなる冷却装置を配置し、前記凝縮器ファンはＤＣ電源駆動で複数個を備え、回転数を高速・低速に可変できる回転数制御手段を備えることにより、ＤＣ電源駆動であることから省エネ性が高くさらに回転数制御手段で回転数を低速に可変することで省エネと低騒音化を図ることができる。万が一収納室あるいは機械室内の冷媒配管から冷媒漏れが起こった場合でも、複数個の凝縮器ファンで強制的に周囲に漏洩冷媒を拡散させ、可燃性冷媒ガスの空気中の濃度を早く低下させることができ、冷媒漏れ時のリスクを低減し安全性を高め、消費電力量の増加を抑えることができる。また、凝縮器ファンを複数個とすることで、仮に凝縮器ファンの一個が故障した場合においてもファンによる拡散効果を確保することができる。
【００１７】
第２の発明は、特に、第１の発明の自動販売機において、外気温度検知手段で検知した温度と記憶部に設定された温度を比較し、外気温度が所定温度より高い場合に凝縮器ファンを高速で作動させ、外気温度が所定温度より低い場合に凝縮器ファンを低速で作動させる回転数制御手段を備えることにより、圧縮機と凝縮器の冷却が必要となる高温条件での風量を確保しつつ、圧縮機と凝縮器の冷却にさほど風量が必要でない低温条件の場合低速で作動させるので効率よい冷却装置となり、拡散による安全性を確保しつつ低騒音化を図るとともに消費電力量の増加を抑えることができる。また、凝縮器ファンを複数個とすることで、仮に凝縮器ファンの一個が故障した場合においてもファンによる拡散効果を確保することができる。
【００１８】
第３の発明は、特に、第１の発明の自動販売機において、圧縮機動作検知手段を備え、圧縮機が動作時は凝縮器ファンを高速で作動させ、圧縮機が停止している場合は凝縮器ファンを低速で作動させる回転数制御手段を備えることにより、圧縮機が停止している場合は凝縮器の冷却が不要であるので凝縮器ファンを低速で作動させることで効率よい冷却装置となり、拡散による安全性を確保しつつ、低騒音化を図るとともに消費電力量の増加を抑えることができる。また、凝縮器ファンを複数個とすることで、仮に凝縮器ファンの一個が故障した場合においてもファンによる拡散効果を確保することができる。
【００１９】
第４の発明は、機械室に圧縮機と凝縮器とＤＣ電源駆動で複数個の凝縮器ファンと可燃性冷媒とからなる冷却装置を配置し、圧縮機動作検知手段を備え、圧縮機が動作時は凝縮器ファンを全て作動させ、圧縮機が停止している場合は凝縮器ファンを１個のみ作動させるファン制御手段を備えることにより、圧縮機が停止している場合は凝縮器の冷却が不要であるので凝縮器ファンを１個のみ作動させることで万が一の冷媒漏洩時も拡散による安全性を確保しつつ、低騒音化を図るとともに消費電力量の増加を抑えることができる。
【００２０】
第５の発明は、特に、第１から第４のいずれか一つの発明の自動販売機において、ＤＣ電源駆動で複数個の凝縮器ファンを風向に角度を付けて配置することにより、機械室内をまんべんなく排気ができ拡散による安全性を確保することができる。
【００２１】
以下、本発明の実施の形態について、図面を参照しながら説明する。なお、この実施の形態によって本発明が限定されるものではない。
【００２２】
（実施の形態１）
図１は、本発明の実施の形態１による自動販売機の側断面図である。図２は、同実施の形態の自動販売機の機械室の断面図である。
【００２３】
図において、収納室１は断熱材により半密閉構造となっている。収納棚２は販売される缶飲料やＰＥＴ容器入飲料等の商品を収納保存し、冷却器３は収納棚２に収納された商品を冷却するものである。機械室４は収納室１と隔離された機械室であり本体の下部に形成されており、圧縮機５と凝縮器６と凝縮器ファン７が収納されている。凝縮器ファン７は、ＤＣ電源駆動のブラシレスモータであり、２つの凝縮器ファン７を左右に並べ、凝縮器６の幅、高さ内に収まるように配置されている。冷却装置８は圧縮機５と凝縮器６と減圧装置（図示せず）と冷却器３を順次接続し、冷凍サイクルを構成したもので収納室１内を冷却するものである。冷媒９は冷却装置８に封入されている可燃性を有する冷媒であり、Ｒ２９０単一冷媒、Ｒ６００ａ単一冷媒もしくはそれらを含む混合冷媒である。庫内ファン１０は収納室１に設けたＤＣ電源駆動のファンで、ダクト１１は庫内ファン１０で収納棚２に送風した冷気を戻すための循環ダクトである。
【００２４】
扉下部の前面通気孔１２、および機械室４の後方の背面通気孔１３は凝縮器ファン７の風を取り込み、排出するための通気孔である。すなわち自動販売機の機械室４は前面から前面通気孔１２、凝縮器６、２つの凝縮器ファン７、圧縮機５そして後方に背面通気孔１３の順に配置されている。
【００２５】
図３は、本発明の実施の形態１による自動販売機のブロック図である。図４は、同実施の形態の自動販売機の動作を示すフローチャートである。
【００２６】
図において、外気温度検知手段１４は外気温度を検知する検知手段である。外気温度検知手段１４からの信号を基に凝縮器ファン７の運転を制御する回転数制御手段１５を備えている。回転数制御手段１５として、間欠制御を行う方法や印加電圧を変える方法などがあるが、ここでは、印加電圧を変える方法を用いたものとする。演算制御部１６は回転数制御手段１５と記憶部１７を内蔵している。
【００２７】
以上のように構成された自動販売機についてその動作を説明する。
【００２８】
収納棚２に収納された商品を冷却する場合、冷却装置８の運転を行い、庫内ファン１０により冷却器３で冷却された冷気を循環させる。庫内ファン１０により冷気は収納棚２に収納された商品を冷却し、ダクト１１を通り再度冷却器３へ戻り冷却を繰り返す。
【００２９】
このとき冷却装置８に封入された可燃性冷媒９は、圧縮機５で圧縮され高温高圧ガスとなり、凝縮器６で凝縮器ファン７により冷却されることで液化される。液化した可燃性冷媒９は、減圧装置（図示せず）で減圧され、冷却器３で蒸発しガス化する。ガス化するとき蒸発潜熱により冷却器が冷却され、庫内ファン１０により冷気が循環され商品が冷却される。
【００３０】
可燃性冷媒９は冷却装置８に封入され密閉されているが、配管振動などにより配管が損傷し、機械室４で不測に冷媒が漏れると、凝縮器ファン７により早く拡散され可燃性ガスの空気中の濃度をすぐに低下させることができる。凝縮器ファン７は、ＤＣ電源駆動のブラシレスモータであり、可燃性ガスに対して着火性がなく安全に使用でき、消費電力量も抑えることができる。なお、機械室４の前面通気孔１２から取り込んだ空気は、凝縮器６を通り、凝縮器ファン７で圧縮機５の方に向かって流れており、背面通気孔１３を通り、外部に排出される。
【００３１】
以上のように構成された自動販売機についてその要部動作を図３のフローチャートを参照して説明する。
【００３２】
まず、ステップ１において、外気温度検知手段１４により外気温度Ｔを検知する。次に、ステップ２において、記憶部１７に予め設定されている温度Ａと外気温度Ｔを比較するが、温度Ａより外気温度Ｔが高いと判定されると、ステップ３で回転数制御手段１５により凝縮器ファン７は高速で運転を行うよう、凝縮器ファン７の定格であるＤＣ電源２４Ｖで作動させる。しかし、温度Ａより外気温度Ｔが低いと判定されると、ステップ４で回転数制御手段１５により凝縮器ファン７は低速で運転されるように、凝縮器ファン７の定格から印加電圧を下げてＤＣ１４Ｖで作動させる。
【００３３】
つまり、高外気温度条件の場合は、圧縮機５の冷却と凝縮温度を下げて効率よく冷却させるため凝縮器ファン７は高速運転を行い、低外気温度条件の場合は、さほど冷却の必要もないので回転数を低くして風量と消費電力をセーブした状態で凝縮器ファン７を運転するものである。
【００３４】
以上のように本実施の形態の自動販売機は、機械室４に圧縮機５と凝縮器６と凝縮器ファン７と可燃性冷媒９とからなる冷却装置８を配置し、凝縮器ファン７はＤＣ電源駆動で複数個を備え、外気温度検知手段１４と外気温度検知手段１４で検知した温度と記憶部１７に設定された温度を比較し、外気温度が所定温度より高い場合に凝縮器ファン７を高速で作動させ、外気温度が所定温度より低い場合に凝縮器ファン７を低速で作動させる回転数制御手段１５を備えることにより万が一収納室１あるいは機械室４内の冷媒配管から冷媒漏れが起こった場合でも複数個の凝縮器ファン７で強制的に周囲に漏洩冷媒を拡散させ、可燃性冷媒の空気中の濃度を早く低下させることができるばかりでなく、ＤＣ電源駆動であることから省エネ性が高い。さらに圧縮機５と凝縮器６の冷却が必要となる高温条件での風量を確保しつつ、圧縮機５と凝縮器６の冷却にさほど風量が必要でない低温条件の場合低速で作動させるので効率よい冷却装置８となり、低騒音化を図るとともに消費電力量の増加を抑えることができる。また、凝縮器ファン７を複数個とすることで、仮に凝縮器ファン７の一個が故障した場合においてもファンによる拡散効果を確保することができ、外気温度が所定温度より低い場合に凝縮器ファン７を低速で作動させることで、ファンの長寿命化も期待でき、冷媒漏れ時のリスクを低減し、安全性の高い自動販売機を提供することができる。
【００３５】
（実施の形態２）
以下、本発明による自動販売機の実施の形態２について、図面を参照しながら説明する。なお、実施の形態１と同一構成については同一符号を付して、詳細な説明を省略する。
【００３６】
図５は、本発明の実施の形態２による自動販売機のブロック図である。図６は、同実施の形態の自動販売機の動作を示すフローチャートである。
【００３７】
図において、圧縮機動作検知手段１８は圧縮機５の動作を検知する検知手段である。圧縮機動作検知手段１８からの信号を基に凝縮器ファン７の運転を制御する回転数制御手段１５ａを備えている。回転数制御手段１５ａとして、間欠制御を行う方法や印加電圧を変える方法などがある。演算制御部１６ａは回転数制御手段１５ａを内蔵している。
【００３８】
以上のように構成された自動販売機についてその要部動作を図６のフローチャートを参照して説明する。
【００３９】
まず、ステップ１において、圧縮機動作検知手段１８により圧縮機５の動作の有無を検知する。次に、ステップ２において、圧縮機動作中と判定されると、ステップ３で凝縮器ファン７は高速で作動するよう、凝縮器ファン７の定格であるＤＣ電源２４Ｖで作動させる。しかし、圧縮機停止中（動作していない）と判定されると、ステップ４で回転数制御手段１５ａにより凝縮器ファン７は低速で運転されるように、凝縮器ファン７の定格から印加電圧を下げてＤＣ１４Ｖで作動させる。
【００４０】
つまり、圧縮機動作時は、圧縮機５の冷却と凝縮器６で冷媒を凝縮させるため凝縮器ファン７は高速で運転を行い、圧縮機停止時は低速とし風量と消費電力をセーブした状態で凝縮器ファン７を運転するものである。
【００４１】
以上のように本実施の形態の自動販売機は、凝縮器ファン７はＤＣ電源駆動で複数個とし、圧縮機動作検知手段１８を備え、圧縮機５の停止時に凝縮器ファン７を低速で作動させる回転数制御手段１５ａを備えたので、凝縮器ファン７はＤＣ電源駆動であることから省エネ性が高く着火性もなく安全に使用でき、さらに圧縮機５と凝縮器６の冷却が必要となる圧縮機動作時は高速で作動させ風量を確保し、一方圧縮機停止時は冷却の必要はないが万が一の冷媒漏洩に備え拡散効果を確保できる程度の低速で作動させるので低騒音化を図るとともに消費電力量の増加を抑えることができる。また、凝縮器ファン７を複数個とすることで、仮に凝縮器ファン７の一個が故障した場合においてもファンによる拡散効果を確保することができ、圧縮機停止時は低速運転させることで、ファンの長寿命化も期待でき、冷媒漏れ時のリスクを低減し、安全性の高い自動販売機を提供することができる。
【００４２】
（実施の形態３）
以下、本発明による自動販売機の実施の形態３について、図面を参照しながら説明する。なお、実施の形態１と同一構成については同一符号を付して、詳細な説明を省略する。
【００４３】
図７は、本発明の実施の形態３による自動販売機のブロック図である。図８は、同実施の形態の自動販売機の動作を示すフローチャートである。
【００４４】
図において、圧縮機動作検知手段１８は圧縮機５の動作を検知する検知手段である。圧縮機動作検知手段１８からの信号を基に凝縮器ファン７の運転を制御するファン制御手段１９を備えている。演算制御部１６ｂはファン制御手段１９を内蔵している。
【００４５】
以上のように構成された自動販売機についてその要部動作を図８のフローチャートを参照して説明する。
【００４６】
まず、ステップ１において、圧縮機動作検知手段１８により圧縮機５の動作の有無を検知する。次に、ステップ２において、圧縮機動作中と判定されると、ステップ３でファン制御手段１９により複数個の凝縮器ファン７を全て作動させる。しかし、圧縮機停止中（動作していない）と判定されると、ステップ４でファン制御手段１９により凝縮器ファン７は１個のみ運転され、他の凝縮器ファン７を停止させる。
【００４７】
つまり、圧縮機動作時は、圧縮機５の冷却と凝縮器６で冷媒を凝縮させるため凝縮器ファン７は複数個で運転を行い、圧縮機停止時は１個のみの運転とし風量と消費電力をセーブした状態で凝縮器ファン７を運転するものである。
【００４８】
以上のように本実施の形態の自動販売機は、凝縮器ファン７はＤＣ電源駆動で複数個とし、圧縮機動作検知手段１８を備え、圧縮機５の停止時に凝縮器ファン７を１個のみで作動させるファン制御手段１９を備えたので、凝縮器ファン７はＤＣ電源駆動であることから省エネ性が高く着火性もなく安全に使用でき、さらに圧縮機５と凝縮器６の冷却が必要となる圧縮機動作時は複数個の凝縮器ファン７を作動させ風量を確保し、一方圧縮機停止時は冷却の必要はないが万が一の冷媒漏洩に備え拡散効果を確保できるよう凝縮器ファン７を１個のみ作動させるので低騒音化を図るとともに消費電力量の増加を抑えることができる。また、凝縮器ファン７を複数個とすることで、仮に凝縮器ファン７の一個が故障した場合においてもファンによる拡散効果を確保することができ、圧縮機停止時は１個のみ運転させることで、ファンの長寿命化も期待でき、冷媒漏れ時のリスクを低減し、安全性の高い自動販売機を提供することができる。
【００４９】
（実施の形態４）
以下、本発明による自動販売機の実施の形態４について、図面を参照しながら説明する。なお、実施の形態１と同一構成については同一符号を付して、詳細な説明を省略する。
【００５０】
図９は、本発明の実施の形態４による自動販売機の機械室の断面図である。
【００５１】
図において、機械室４は収納室１と隔離された機械室であり本体の下部に形成されており、圧縮機５と凝縮器６と凝縮器ファン７が収納されている。凝縮器ファン７は、ＤＣ電源駆動のブラシレスモータであり、複数個を備え、その風向に角度を付けて配置している。蒸発皿２０は、冷却器３からのドレン水や結露水を受けるための容器で、蒸発促進器２１を設け、吸水した蒸発促進器２１に凝縮器ファン７の風をあてて蒸発させ、排水処理を行うものである。蒸発促進器２１に風が当たりやすいように凝縮器ファン７の配置を工夫し、風向板を無くし、合理化したものである。冷却装置８は圧縮機５と凝縮器６と減圧装置（図示せず）と冷却器３を順次接続し、冷凍サイクルを構成したもので収納室１内を冷却するものである。冷媒９は冷却装置８に封入されている可燃性を有する冷媒であり、Ｒ２９０単一冷媒、Ｒ６００ａ単一冷媒もしくはＲ２９０を含む混合冷媒である。扉下部の前面通気孔１２、および機械室４の後方の背面通気孔１３は凝縮器ファン７の風を取り込み、排出するための通気孔である。
【００５２】
以上のように構成された自動販売機についてその動作を説明する。
【００５３】
可燃性冷媒９は冷却装置８に封入され密閉されているが、配管振動などにより配管が損傷し、機械室４で不測に冷媒が漏れると、複数個の凝縮器ファン７により早く拡散され可燃性ガスの空気中の濃度をすぐに低下させることができる。凝縮器ファン７は、ＤＣ電源駆動のブラシレスモータであり、可燃性ガスに対して着火性がなく安全に使用でき、消費電力量も抑えることができる。なお、機械室４の前面通気孔１２から取り込んだ空気は、凝縮器６を通り、一方は凝縮器ファン７で蒸発促進器２１の方に向かって流れており、蒸発促進効果を高め、背面通気孔１３を通り、外部に排出される。
【００５４】
以上のように本実施の形態の自動販売機は、ＤＣ電源駆動で複数個の凝縮器ファンを風向に角度を付けて配置したことにより、機械室４の排気を広い角度で効果的に行うことができ、冷媒漏れ時のリスクを低減し、安全性の高い自動販売機を提供することができる。
【００５５】
複数個の凝縮器ファン７は、同一仕様のものを複数使用した場合に限らず、大きさや風量等の定格仕様が異なるものを使用しても同様の作用効果を得ることができる。
【産業上の利用可能性】
【００５６】
以上のように、本発明にかかる自動販売機は、可燃性冷媒を使用しても万が一の冷媒漏洩時の安全性を高め、省エネ性と低騒音を図ることが可能となるので、可燃性冷媒を使用した冷凍・冷蔵ショーケースや業務用冷凍・冷蔵庫等の用途にも適用できる。
【図面の簡単な説明】
【００５７】
【図１】本発明の実施の形態１による自動販売機の側断面図
【図２】同実施の形態の自動販売機の機械室の断面図
【図３】同実施の形態の自動販売機のブロック図
【図４】同実施の形態の自動販売機の動作を示すフローチャート
【図５】本発明の実施の形態２による自動販売機のブロック図
【図６】同実施の形態の自動販売機の動作を示すフローチャート
【図７】本発明の実施の形態３による自動販売機のブロック図
【図８】同実施の形態の自動販売機の動作を示すフローチャート
【図９】本発明の実施の形態４による自動販売機の機械室の断面図
【符号の説明】
【００５８】
１    収納室
４    機械室
５    圧縮機
６    凝縮器
７    凝縮器ファン
８    冷却装置
９    可燃性冷媒
１４  外気温度検知手段
１５，１５ａ  回転数制御手段
１７  記憶部
１８  圧縮機動作検知手段
１９  ファン制御手段
【図１】
2007018137.tif 000003
【図２】
2007018137.tif 000004
【図３】
2007018137.tif 000005
【図４】
2007018137.tif 000006
【図５】
2007018137.tif 000007
【図６】
2007018137.tif 000008
【図７】
2007018137.tif 000009
【図８】
2007018137.tif 000010
【図９】
2007018137.tif 000011